(57)【要約】【課題】誘導検出トーンリング用組立体が提供される。【解決手段】ブレーキロータは、環状窪み部を含んでいる。トーンリングは、ブレーキロータの環状窪み部に収容される。ブレーキロータは、複数の位置決めタブを有し、各位置決めタブは、傾斜面を有している。トーンリングは、複数の保持タブを有し、各保持タブは、ブレーキロータの２つの位置決めタブの間に収容される。保持リングは、トーンリングの保持タブに接触して（対向して）、圧入するように、ブレーキロータの各位置決めタブ傾斜面に取り付けられている。【選択図】図３
2018123964.tif 000002
【特許請求の範囲】
【請求項１】
ブレーキディスク組立体であって、
ブレーキロータであって、環状窪み部を形成する内壁を有するブレーキロータと、
前記ブレーキロータ環状窪み部に収容されるアンチロックブレーキ検出リングとを備え、
前記ブレーキロータは複数の位置決めタブを有し、各位置決めタブは、前記ブレーキロータの前記内壁から前記ブレーキロータ環状窪み部内へ半径方向内方に延び、
各位置決めタブは、保持溝の一部として傾斜面を有し、
前記アンチロックブレーキ検出リングは、複数の保持タブを有し、各保持タブは、前記ブレーキロータの２つの隣接する位置決めタブの間に位置付けられ、
ブレーキディスク組立体は、前記ブレーキロータの前記保持溝の少なくとも２つの前記傾斜面に対して位置付けられた保持リングを更に備え、
前記保持リングは、前記アンチロックブレーキ検出リングの少なくとも２つの前記保持タブに対して位置付けられている、ディスクブレーキ組立体。
【請求項２】
前記ブレーキロータは、前記ブレーキロータの上面から延びる隆起部を含み、
前記アンチロックブレーキ検出リングは、前記ブレーキロータ隆起部に半径方向に隣接する内側対向面を含む、請求項１に記載のディスクブレーキ組立体。
【請求項３】
前記ブレーキロータは、前記ブレーキロータの上面から延びる隆起部を含み、
前記アンチロックブレーキ検出リングは、前記ブレーキロータ隆起部に半径方向に隣接する外側対向面を含む、請求項１に記載のディスクブレーキ組立体。
【請求項４】
各アンチロックブレーキ検出保持タブは、前記ブレーキロータ環状窪み部内における前記アンチロックブレーキ検出リングの回転が制限されるような態様で、前記ブレーキロータの２つの隣接する位置決めタブの間に位置付けられている、請求項１に記載のディスクブレーキ組立体。
【請求項５】
ブレーキディスク組立体であって、
ブレーキロータであって、環状窪み部を形成する内壁を有する前記ブレーキロータと、
アンチロックブレーキ検出リングとを備え、
前記ブレーキロータは複数の位置決めタブを有し、各位置決めタブは、前記ブレーキロータの前記内壁から前記ブレーキロータ環状窪み部内へ半径方向内方に延び、
各位置決めタブは、保持溝の一部として傾斜面を有し、
前記アンチロックブレーキ検出リングは、複数の保持タブを有し、各保持タブは、前記ブレーキロータの２つの隣接する位置決めタブの間に位置付けられ、
ブレーキディスク組立体は、前記ブレーキロータの前記保持溝の少なくとも２つの前記傾斜面に対して位置付けられた保持リングを更に備え、
前記保持リングは、前記アンチロックブレーキ検出リングの少なくとも２つの前記保持タブに対して位置付けられている、ディスクブレーキ組立体。
【請求項６】
前記ブレーキロータは、前記ブレーキロータの上面から延びる隆起部を含み、
前記アンチロックブレーキ検出リングは、前記ブレーキロータ隆起部に半径方向に隣接する内側対向面を含む、請求項５に記載のディスクブレーキ組立体。
【請求項７】
各アンチロックブレーキ検出保持タブは、前記ブレーキロータ環状窪み部内における前記アンチロックブレーキ検出リングの回転が制限されるような態様で、前記ブレーキロータの２つの隣接する位置決めタブの間に位置付けられている、請求項５に記載のディスクブレーキ組立体。
【発明の詳細な説明】
【技術分野】
【０００１】
本出願は、速度および位置検出の目的のための方法、並びに回転部分に取り付けられた誘導トーンリングを含む組立体に関する。
【背景技術】
【０００２】
アンチロックブレーキへの適用として、位置検出用の誘導トーンリングの使用が知られている。しかしながら、アンチロックブレーキシステム検知リングの設置、特にディスクブレーキロータへの設置は懸念事項の原因となっている。このような懸念事項は、困難な設置や交換、緩みや故障となり得るボルトやネジの使用、および異なる熱膨張や反りの原因となる、ブレーキロータからトーンリングへの熱移動を含んでいる。トーンリングの腐食やブレーキロータに形成されるトーンリングの特徴も、現場における問題の大きな原因である。トーンリングは、ロータの摩耗が限界となる前に、使用可能な状態を超えて腐食し得る。
【０００３】
従って、ディスクブレーキロータ組立体を含む誘導トーンリングを設置するための改良された配置および方法が提供される。
【発明の概要】
【発明が解決しようとする課題】
【０００４】
誘導トーンリングを回転部分に取り付けるための改良された配置および方法が要求されている。回転部分は、現在明らかであるものはブレーキロータであるが、回転位置または速度測定が必要なホイールハブ、機械軸または他の回転部分にも適用できる。
【課題を解決するための手段】
【０００５】
ディスクブレーキ組立体に適用される方法は、環状窪み部を形成する内壁を有するブレーキロータを備えている。アンチロックブレーキトーンリングは、ブレーキロータの上面に隣接する窪み部に隣接した環状窪み部に収容される。ブレーキロータの内壁は複数の突出部材を含み、各突出部材は、環状窪み部を形成する、ブレーキロータの内壁に形成された上部傾斜面を含む保持溝を有している。
【０００６】
トーンリングは、複数の保持タブを有している。各トーンリング保持タブは、２つのブレーキロータ内壁突出部材の間に位置付けられている。各々のブレーキロータ突出部材保持溝内には、保持リングが取り付けられている。保持リングは、トーンリングの各々の保持タブを押圧する。
【０００７】
本発明の改良されたトーンリング取付方法の利点は、ブレーキロータとトーンリングとの間の接触領域を減少させ、ブレーキロータからトーンリングへの熱移動を減少させることを含んでいる。リングは、しっかりと拘束されておらず、リングがねじまたはボルトによってロータにしっかりと取り付けられている場合に起こり得る高温での反りを回避するように、ロータ取付部内で「浮動」することができる。腐食の影響は、温度が低く、かつトーンリングとロータとの間の接触が最小限である結果として、低減される。トーンリングのブレーキロータへの取り付けにおいて、ねじ、ボルトまたは圧入を除外することは、設置および交換が容易になる。また、トーンリングを収容するロータを準備するための、ロータへのねじ穴またはボルト穴の穿設またはねじ切りが必要とされない。本発明のトーンリングは、各々が保持溝を有する複数の突出部材と係合し、ブレーキロータ内壁の環状窪み部の位置に単純に設置される。保持リングは、ブレーキロータ突出部材保持溝の各々に取り付けられる。保持リングは、トーンリングの各々の保持タブを押圧する。
【図面の簡単な説明】
【０００８】
【図１】本発明の第１の実施の形態による、組み立てられたブレーキロータ、トーンリングおよび保持リングを示す斜視図である。
【図２】本発明の第１の実施の形態によるブレーキロータ、トーンリングおよび保持リングを示す分解斜視図である。
【図３】本発明の第１の実施の形態によるブレーキロータ、トーンリングおよび保持リングの部分詳細図である。
【発明を実施するための形態】
【０００９】
図１乃至図３を参照すると、本発明の第１の実施の形態によるディスクブレーキ組立体が、全体的に１０で示されている。環形状のブレーキロータが１２で示されており、ブレーキロータ１２用の材料は、通常、鋳鉄である。ブレーキロータ１２は、環状窪み部１６を形成する内壁１４を含んでいる。スナップ保持リング３０は、環状窪み部１６に収容されている。スナップ保持部３０は環形状のリングである。
【００１０】
トーンリング２０は、ブレーキロータ１２の上面２１から延びる隆起部１５に隣接して配置されている。トーンリング１２は、ブレーキロータ１２の隆起部１５の半径方向内側対向面４３に、半径方向において接触する軸方向内部対向リップ４１を更に含んでいる。トーンリング２０は、鋼鉄、または、このような誘導トーンリングに使用することが知られている他の強磁性の材料を含んでいる。
【００１１】
ブレーキロータ１２は、複数の位置決めタブ１７を更に含んでいる。各位置決めタブ１７は、環状窪み部１６の周囲に形成されるとともに、環状窪み部１６に半径方向に対向する傾斜面１９を含んでいる。各位置決めタブの傾斜面１９は、トーンリング２０の保持タブ３１に対抗して、保持リング１９に力を作用するように、保持リング３０に接触する。トーンリング２０の各保持タブ３１は、ブレーキロータ１２の２つの位置決めタブ１７の間に取り付けられ、ブレーキロータ１２内におけるトーンリング２０の回転を制限する。
【００１２】
トーンリング２０は、内部リップ４１および上面３４を含んでいることが理解される。トーンリング２０の内部リップ４１は、ブレーキロータ１２の隆起部１５の半径方向内側対向面４３に隣接して取り付けられ、回転軸の周りに、トーンリング２０を中心に置く。複数の保持タブ３１は、トーンリング２０から半径方向内側に延びている。
【００１３】
ディスクブレーキ組立体１０の組み立て時に、トーンリング２０は、ブレーキロータ１２の表面２１から延びる隆起部１５に隣接してブレーキロータ１２の一方の側に設置される。トーンリング１２の軸方向内部対向リップ４１は、半径方向において、ブレーキロータ１２の隆起部１５の半径方向内側対向面４３に接触している。ブレーキロータ１２は、複数の位置決めタブ１７を更に含んでいる。各位置決めタブ１７は、環状窪み部１６の周囲に形成されるとともに、環状窪み部１６に半径方向に対向する傾斜面１９を含んでいる。各位置決めタブの傾斜面１９は、トーンリング２０の保持タブ３１に対抗して、保持リング１９に力を作用するように、保持リング３０に接触する。トーンリング２０の各保持タブ３１は、ブレーキロータ１２の２つの位置決めタブ１７の間に取り付けられ、ブレーキロータ１２内におけるトーンリング２０の回転を制限する。
【図１】
2018123964.tif 000003
【図２】
2018123964.tif 000004
【図３】
2018123964.tif 000005
【外国語明細書】
2018123964000001.pdf